(57)【要約】【課題】ユーザが所望するＷｅｂページを、より優先的に推薦する方法及びサーバを提供すること。【解決手段】サーバ１０は、端末２０が出力したＷｅｂページが含む参照先のＷｅｂページへのリンク情報を用いた、ユーザによるページ移動操作を受け付けたことに応じて、前記参照先のＷｅｂページのアドレス（ＵＲＬ）を、前記リンク情報を含む参照元のＷｅｂページに関する情報に関連付けて記憶し、前記端末２０が前記ユーザからの新たなＷｅｂページの送信要求操作を受け付けたことに応じて、記憶した前記参照先のＷｅｂページのアドレス（ＵＲＬ）に関連度の高い参照元のＷｅｂページに関する情報を抽出し、抽出した関連度の高い参照元の前記Ｗｅｂページに関する情報を前記端末２０が出力するために送信する。【選択図】図３
2008176746.tif 000002
【特許請求の範囲】
【請求項１】
通信ネットワークを介してユーザの端末と接続可能なサーバがＷｅｂページへの参照元のＷｅｂページに関する情報を推薦する方法であって、
前記サーバは、前記端末が出力したＷｅｂページが含む参照先のＷｅｂページへのリンク情報を用いた、前記ユーザによるページ移動操作を受け付けたことに応じて、前記参照先のＷｅｂページのアドレスを、前記リンク情報を含む参照元のＷｅｂページに関する情報に関連付けて記憶する記憶手段を備え、
前記端末が前記ユーザからの新たなＷｅｂページとして、記憶した前記参照元のＷｅｂページの送信要求操作を受け付けたことに応じて、記憶した前記参照先のＷｅｂページのアドレスに関連度の高い参照元のＷｅｂページに関する情報を抽出する抽出ステップと、
抽出した関連度の高い参照元の前記Ｗｅｂページに関する情報を前記端末が出力するために送信する送信ステップと、を含む方法。
【請求項２】
請求項１に記載の方法であって、
前記記憶手段は、前記端末がクエリーによる検索結果として出力したＷｅｂページが含む参照先のＷｅｂページへのリンク情報を用いた、前記ユーザによるページ移動操作を受け付けたことに応じて、前記参照先のＷｅｂページのアドレスを、前記検索結果として出力したＷｅｂページのクエリーに関連付けて記憶し、
前記抽出ステップは、前記端末が前記ユーザからの新たなクエリーによる検索結果を示すＷｅｂページの送信要求操作を受け付けたことに応じて、記憶した前記参照先のＷｅｂページのアドレスに関連度の高いクエリーを抽出し、
前記送信ステップは、抽出した関連度の高いクエリーを前記端末が出力するために送信することを特徴とする方法。
【請求項３】
請求項２に記載の方法であって、
前記抽出ステップは、受け付けた前記ユーザによるページ移動操作の回数の多いクエリーを、記憶した前記参照先のＷｅｂページのアドレスに関連度の高いクエリーとして抽出することを特徴とする方法。
【請求項４】
請求項２又は請求項３に記載の方法であって、
前記抽出ステップは、前記ユーザによるページ移動操作において用いられた参照先のＷｅｂページへのリンク情報の、クエリーによる検索結果におけるランクの上位のクエリーを、記憶した前記参照先のＷｅｂページのアドレスに関連度の高いクエリーとして抽出することを特徴とする方法。
【請求項５】
請求項４に記載の方法であって、
前記抽出ステップは、
【数１】
2008176746.tif 000011
ただし、ｎ：ユーザによるページ移動操作の回数
Ｒ：前記ユーザによるページ移動操作において用いられた参照先のＷｅｂページへのリンク情報の、クエリーによる検索結果におけるランク
の大きいクエリーを、記憶した前記参照先のＷｅｂページのアドレスに関連度の高いクエリーとして抽出することを特徴とする方法。
【請求項６】
請求項１に記載の方法であって、
前記記憶手段は、前記端末が参照元として出力したＷｅｂページが含む参照先の商品購買に関するＷｅｂページへのリンク情報を用いた、前記ユーザによるページ移動操作を受け付けたことに応じて、前記参照先の商品購買に関するＷｅｂページのアドレスを、前記参照元として出力したＷｅｂページに関連付けて記憶し、
前記抽出ステップは、前記端末が前記ユーザからの新たなＷｅｂページの送信要求操作を受け付けたことに応じて、記憶した前記参照先の商品購買に関するＷｅｂページのアドレスに関連度の高い参照元のＷｅｂページを抽出し、
前記送信ステップは、抽出した関連度の高い参照元のＷｅｂページを前記端末が出力するために送信することを特徴とする方法。
【請求項７】
請求項６に記載の方法であって、
前記抽出ステップは、受け付けた前記ユーザによるページ移動操作の回数に基づいて、記憶した前記参照先の商品購買に関するＷｅｂページのアドレスに関連度の高い参照元のＷｅｂページを抽出することを特徴とする方法。
【請求項８】
請求項６又は請求項７に記載の方法であって、
前記抽出ステップは、前記ユーザによるページ移動操作において用いられた参照先の商品購買に関するＷｅｂページへのリンク情報の、Ｗｅｂページにおける購買商品の表示位置及び占有面積から判定されるランクの高い参照元のＷｅｂページを、記憶した前記参照先の商品購買に関するＷｅｂページのアドレスに関連度の高い参照元のＷｅｂページとして抽出することを特徴とする方法。
【請求項９】
請求項８に記載の方法であって、
前記抽出ステップは、
【数２】
2008176746.tif 000012
ただし、ｎ：ユーザによるページ移動操作の回数
Ｒ：前記ユーザによるページ移動操作において用いられた参照先の商品購買に関するＷｅｂページへのリンク情報の、参照元のＷｅｂページにおける購買商品の表示位置及び占有面積から判定されるランク
の大きい参照元のＷｅｂページを、記憶した前記参照先の商品購買に関するＷｅｂページのアドレスに関連度の高い参照元のＷｅｂページとして抽出することを特徴とする方法。
【請求項１０】
通信ネットワークを介してユーザの端末と接続可能であり、Ｗｅｂページへの参照元のＷｅｂページに関する情報を推薦するサーバであって、
前記端末が出力したＷｅｂページが含む参照先のＷｅｂページへのリンク情報を用いた、前記ユーザによるページ移動操作を受け付けたことに応じて、前記参照先のＷｅｂページのアドレスを、前記リンク情報を含む参照元のＷｅｂページに関する情報に関連付けて記憶する記憶手段を備え、
前記端末が前記ユーザからの新たなＷｅｂページとして、記憶した前記参照元のＷｅｂページの送信要求操作を受け付けたことに応じて、記憶した前記参照先のＷｅｂページのアドレスに関連度の高い参照元のＷｅｂページに関する情報を抽出する抽出手段と、
抽出した関連度の高い参照元の前記Ｗｅｂページに関する情報を前記端末が出力するために送信する送信手段と、を備えるサーバ。
【請求項１１】
請求項１０に記載のサーバであって、
前記記憶手段は、前記端末がクエリーによる検索結果として出力したＷｅｂページが含む参照先のＷｅｂページへのリンク情報を用いた、前記ユーザによるページ移動操作を受け付けたことに応じて、前記参照先のＷｅｂページのアドレスを、前記検索結果として出力したＷｅｂページのクエリーに関連付けて記憶し、
前記抽出手段は、前記端末が前記ユーザからの新たなクエリーによる検索結果を示すＷｅｂページの送信要求操作を受け付けたことに応じて、記憶した前記参照先のＷｅｂページのアドレスに関連度の高いクエリーを抽出し、
前記送信手段は、抽出した関連度の高いクエリーを前記端末が出力するために送信することを特徴とするサーバ。
【請求項１２】
請求項１０に記載のサーバであって、
前記記憶手段は、前記端末が参照元として出力したＷｅｂページが含む参照先の商品購買に関するＷｅｂページへのリンク情報を用いた、前記ユーザによるページ移動操作を受け付けたことに応じて、前記参照先の商品購買に関するＷｅｂページのアドレスを、前記参照元として出力したＷｅｂページに関連付けて記憶し、
前記抽出手段は、前記端末が前記ユーザからの新たなＷｅｂページの送信要求操作を受け付けたことに応じて、記憶した前記参照先の商品購買に関するＷｅｂページのアドレスに関連度の高い参照元のＷｅｂページを抽出し、
前記送信手段は、抽出した関連度の高い参照元のＷｅｂページを前記端末が出力するために送信することを特徴とするサーバ。
【発明の詳細な説明】
【技術分野】
【０００１】
本発明は、ページ移動操作の履歴情報に基づいてＷｅｂページへの参照元のＷｅｂページに関する情報を推薦する方法及びサーバに関する。
【背景技術】
【０００２】
従来、Ｗｅｂ上の検索サービスやショッピングサイト等において、ユーザを所望のＷｅｂページへ効率的に導くために、様々なサポートが試みられている。具体的には、例えば、検索サービスにおいては、当該ユーザが過去に入力したクエリー（例えば検索キーワード）の履歴を予め記憶しておき、次に当該ユーザがクエリー（検索キーワード）を入力したことに応じて、当該履歴を参照して、入力した当該クエリー（検索キーワード）に関連度の高い過去のクエリーを抽出して参照元情報として当該ユーザに表示する。
【０００３】
このことにより、当該ユーザは、過去に入力したクエリー（検索キーワード）を自ら記憶していなくとも、表示された推薦クエリー（検索キーワード）から選択することによって効率的にＷｅｂページの検索を行うことができる。
【０００４】
或いは、ショッピングサイト等においては、商品購買ページへユーザを導くためのリンク（ＵＲＬを伴うアンカータグ）を商品説明ページや安売り特集ページ等様々な関連Ｗｅｂページ（参照元ページ）に挿入する。
【０００５】
このことにより、当該ユーザは、当該様々なＷｅｂページ（参照元のＷｅｂページ）から直接購買ページに移動することができる。
【０００６】
このような状況において、特許文献１に記載の技術によれば、ユーザ群のＷｅｂページに対する操作履歴及びＥＣサイトの商品の購入履歴をサーバ１に蓄積する。ユーザから商品の名称等を指定した要求があると、商品を購入したユーザ群をサーバ１から抽出する。そして商品を購入したユーザ群のユーザが閲覧し且つ前記商品の名称等をキーワードに含むＷｅｂページを抽出し、適切なカテゴリ数を算出し、カテゴリ数に応じてＷｅｂページを分類し、提示順番を決定しユーザの端末２に提示することができる。
【特許文献１】特開２００４−３２６５３７号公報
【発明の開示】
【発明が解決しようとする課題】
【０００７】
しかしながら、特許文献１に記載の技術によっても、当該ユーザが所望のＷｅｂページである可能性のより高いＷｅｂページへ当該ユーザを導く参照元のＷｅｂページに関する情報をより優先的に推薦することはできない。より具体的には、推薦クエリー（検索キーワード）とＷｅｂページの組み合わせ自体は過去の検索実績（クエリー履歴）に応じて決定されるため、当該ユーザが所望のＷｅｂページを検索する可能性のより高いクエリー（検索キーワード）をより優先的に推薦するための技術は開示されていない。また、商品購買ページへ当該ユーザがより高い確率で移動する可能性がある関連Ｗｅｂページをより優先的に推薦するための技術は開示されていない。
【０００８】
そこで、本発明は、当該ユーザが所望のＷｅｂページである可能性のより高いＷｅｂページへの参照元のＷｅｂページに関する情報をより優先的に推薦することができる方法及びサーバを提供することを目的とする。より具体的には、当該ユーザが所望のＷｅｂページを検索する可能性のより高いクエリー（検索キーワード）をより優先的に推薦することができる方法及びサーバを提供することを目的とする。また、商品購買ページへ当該ユーザがより高い確率で移動する可能性がある関連Ｗｅｂページをより優先的に推薦することができる方法及びサーバを提供することを目的とする。
【課題を解決するための手段】
【０００９】
本発明者らは、ユーザによる過去のリンク（ＵＲＬを伴うアンカータグ）のクリック操作の履歴情報（クリック履歴情報；クリックログ）に基づいてＷｅｂページへの参照元のＷｅｂページに関する情報を推薦する方法及びサーバを提供することを見出し、本発明を完成するに至った。より具体的には、本発明は、次のようなものを提供する。
【００１０】
（１）  通信ネットワークを介してユーザの端末と接続可能なサーバがＷｅｂページへの参照元のＷｅｂページに関する情報を推薦する方法であって、
前記サーバは、前記端末が出力したＷｅｂページが含む参照先のＷｅｂページへのリンク情報を用いた、前記ユーザによるページ移動操作を受け付けたことに応じて、前記参照先のＷｅｂページのアドレス（ＵＲＬ）を、前記リンク情報を含む参照元のＷｅｂページに関する情報に関連付けて記憶する記憶手段を備え、
前記端末が前記ユーザからの新たなＷｅｂページとして、記憶した前記参照元のＷｅｂページの送信要求操作を受け付けたことに応じて、記憶した前記参照先のＷｅｂページのアドレス（ＵＲＬ）に関連度の高い参照元のＷｅｂページに関する情報を抽出する抽出ステップと、
抽出した関連度の高い参照元の前記Ｗｅｂページに関する情報を前記端末が出力するために送信する送信ステップと、を含む方法。
【００１１】
本発明のこのような構成によれば、前記サーバは、前記端末が出力したＷｅｂページが含む参照先のＷｅｂページへのリンク情報を用いた、前記ユーザによるページ移動操作を受け付けたことに応じて、前記参照先のＷｅｂページのアドレス（ＵＲＬ）を、前記リンク情報を含む参照元のＷｅｂページに関する情報に関連付けて記憶し、前記端末が前記ユーザからの新たなＷｅｂページとして、記憶した前記参照元のＷｅｂページの送信要求操作を受け付けたことに応じて、記憶した前記参照先のＷｅｂページのアドレス（ＵＲＬ）に関連度の高い参照元のＷｅｂページに関する情報を抽出し、抽出した関連度の高い参照元の前記Ｗｅｂページに関する情報を前記端末が出力するために送信する。
【００１２】
このことにより、前記サーバは、参照先のＷｅｂページへのリンク情報を用いた、前記ユーザによるページ移動操作（クリックログ）を、参照先のＷｅｂページのアドレス（ＵＲＬ）に関連付けて記憶することによって、新たなＷｅｂページとして、記憶した前記参照元のＷｅｂページの送信要求操作を受け付けた場合に、前記参照先のＷｅｂページに関連度の高い参照元のＷｅｂページに関する情報を、端末に表示させることができる。
【００１３】
その結果、前記サーバは、前記ユーザが所望のＷｅｂページである可能性のより高いＷｅｂページへ当該ユーザを導く参照元のＷｅｂページに関する情報をより優先的に推薦することができる。
【００１４】
（２）  （１）に記載の方法であって、前記記憶手段は、前記端末がクエリー（検索キーワード）による検索結果として出力したＷｅｂページが含む参照先のＷｅｂページへのリンク情報を用いた、前記ユーザによるページ移動操作を受け付けたことに応じて、前記参照先のＷｅｂページのアドレス（ＵＲＬ）を、前記検索結果として出力したＷｅｂページのクエリー（検索キーワード）に関連付けて記憶し、
前記抽出ステップは、前記端末が前記ユーザからの新たなクエリー（検索キーワード）による検索結果を示すＷｅｂページの送信要求操作を受け付けたことに応じて、記憶した前記参照先のＷｅｂページのアドレス（ＵＲＬ）に関連度の高いクエリー（検索キーワード）を抽出し、
前記送信ステップは、抽出した関連度の高いクエリー（検索キーワード）を前記端末が出力するために送信することを特徴とする方法。
【００１５】
本発明のこのような構成によれば、前記サーバは、前記端末がクエリー（検索キーワード）による検索結果として出力したＷｅｂページが含む参照先のＷｅｂページへのリンク情報を用いた、前記ユーザによるページ移動操作を受け付けたことに応じて、前記参照先のＷｅｂページのアドレス（ＵＲＬ）を、前記検索結果として出力したＷｅｂページのクエリー（検索キーワード）に関連付けて記憶し、前記端末が前記ユーザからの新たなクエリー（検索キーワード）による検索結果を示すＷｅｂページの送信要求操作を受け付けたことに応じて、記憶した前記参照先のＷｅｂページのアドレス（ＵＲＬ）に関連度の高いクエリー（検索キーワード）を抽出し、抽出した関連度の高いクエリー（検索キーワード）を前記端末が出力するために送信する。
【００１６】
このことにより、前記サーバはクエリー（検索キーワード）による検索結果として出力したＷｅｂページが含む参照先のＷｅｂページへのリンク情報を用いた、前記ユーザによるページ移動操作（クリックログ）を、前記参照先のＷｅｂページのアドレス（ＵＲＬ）に関連付けて記憶しておくことにより、新たなクエリー（検索キーワード）による検索結果を示すＷｅｂページの送信要求があった場合に、前記参照先のＷｅｂページのアドレス（ＵＲＬ）に関連度の高いクエリー（検索キーワード）を抽出して端末に表示させることができる。
【００１７】
その結果、前記サーバは、前記ユーザが所望のＷｅｂページを検索する可能性のより高いクエリー（検索キーワード）をより優先的に推薦することができる。
【００１８】
（３）  （２）に記載の方法であって、前記抽出ステップは、受け付けた前記ユーザによるページ移動操作の回数の多いクエリー（検索キーワード）を、記憶した前記参照先のＷｅｂページのアドレス（ＵＲＬ）に関連度の高いクエリー（検索キーワード）として抽出することを特徴とする方法。
【００１９】
本発明のこのような構成によれば、前記サーバは受け付けた前記ユーザによるページ移動操作（クリックログ）の回数に基づいて、記憶した前記参照先のＷｅｂページのアドレス（ＵＲＬ）に関連度の高いクエリー（検索キーワード）を抽出する。
【００２０】
このことにより、前記サーバは、前記参照先のＷｅｂページへのページ移動操作（クリックログ）の回数の多いクエリー（検索キーワード）を優先的に端末に表示させることができる。
【００２１】
（４）  （２）又は（３）に記載の方法であって、前記抽出ステップは、前記ユーザによるページ移動操作において用いられた参照先のＷｅｂページへのリンク情報の、クエリー（検索キーワード）による検索結果におけるランク（順位）の上位のクエリー（検索キーワード）を、記憶した前記参照先のＷｅｂページのアドレス（ＵＲＬ）に関連度の高いクエリー（検索キーワード）として抽出することを特徴とする方法。
【００２２】
本発明のこのような構成によれば、前記サーバは、前記ユーザによるページ移動操作において用いられた参照先のＷｅｂページへのリンク情報の、クエリー（検索キーワード）による検索結果におけるランクに基づいて、記憶した前記参照先のＷｅｂページのアドレス（ＵＲＬ）に関連度の高いクエリー（検索キーワード）を抽出する。
【００２３】
このことにより、前記サーバは、前記クエリー（検索キーワード）による検索結果におけるランクの高いクエリー（検索キーワード）を優先的に端末に表示させることができる。
【００２４】
（５）  （４）に記載の方法であって、
前記抽出ステップは、
【数１】
2008176746.tif 000003
ただし、ｎ：ユーザによるページ移動操作の回数
Ｒ：前記ユーザによるページ移動操作において用いられた参照先のＷｅｂページへのリンク情報の、クエリー（検索キーワード）による検索結果におけるランク（順位）
の大きいクエリー（検索キーワード）を、記憶した前記参照先のＷｅｂページのアドレス（ＵＲＬ）に関連度の高いクエリー（検索キーワード）として抽出することを特徴とする方法。
【００２５】
本発明のこのような構成によれば、前記サーバは
【数２】
2008176746.tif 000004
ただし、ｎ：ユーザによるページ移動操作の回数
Ｒ：前記ユーザによるページ移動操作において用いられた参照先のＷｅｂページへのリンク情報の、クエリー（検索キーワード）による検索結果におけるランク（順位）
の大きいクエリー（検索キーワード）を、記憶した前記参照先のＷｅｂページのアドレス（ＵＲＬ）に関連度の高いクエリー（検索キーワード）として抽出する。
【００２６】
このことにより、前記サーバは
【数３】
2008176746.tif 000005
ただし、ｎ：ユーザによるページ移動操作の回数
Ｒ：前記ユーザによるページ移動操作において用いられた参照先のＷｅｂページへのリンク情報の、クエリー（検索キーワード）による検索結果におけるランク（順位）
の大きいクエリー（検索キーワード）を、記憶した前記参照先のＷｅｂページのアドレス（ＵＲＬ）により関連度の高いクエリー（検索キーワード）として前記端末に表示させることができる。
【００２７】
（６）  （１）に記載の方法であって、前記記憶手段は、前記端末が参照元として出力したＷｅｂページが含む参照先の商品購買に関するＷｅｂページへのリンク情報を用いた、前記ユーザによるページ移動操作を受け付けたことに応じて、前記参照先の商品購買に関するＷｅｂページのアドレス（ＵＲＬ）を、前記参照元として出力したＷｅｂページに関連付けて記憶し、
前記抽出ステップは、前記端末が前記ユーザからの新たなＷｅｂページの送信要求操作を受け付けたことに応じて、記憶した前記参照先の商品購買に関するＷｅｂページのアドレス（ＵＲＬ）に関連度の高い参照元のＷｅｂページを抽出し、
前記送信ステップは、抽出した関連度の高い参照元のＷｅｂページを前記端末が出力するために送信することを特徴とする方法。
【００２８】
本発明のこのような構成によれば、前記サーバは、前記端末が参照元として出力したＷｅｂページが含む参照先の商品購買に関するＷｅｂページへのリンク情報を用いた、前記ユーザによるページ移動操作を受け付けたことに応じて、前記参照先の商品購買に関するＷｅｂページのアドレス（ＵＲＬ）を、前記参照元として出力したＷｅｂページに関連付けて記憶し、前記端末が前記ユーザからの新たなＷｅｂページの送信要求操作を受け付けたことに応じて、記憶した前記参照先の商品購買に関するＷｅｂページのアドレス（ＵＲＬ）に関連度の高い参照元のＷｅｂページを抽出し、抽出した関連度の高い参照元のＷｅｂページを前記端末が出力するために送信する。
【００２９】
このことにより、前記サーバは、前記ユーザによる、商品購買に関するＷｅｂページへのページ移動操作（クリックログ）を、前記参照元として出力したＷｅｂページに関連付けて記憶しておくことにより、新たなＷｅｂページの送信要求操作を受け付けたことに応じて、前記参照先の商品購買に関するＷｅｂページに関連度の高い参照元のＷｅｂページを端末に表示させることができる。
【００３０】
その結果、前記サーバは商品購買ページへ当該ユーザがより高い確率で移動する可能性がある関連Ｗｅｂページをより優先的に推薦することができる。
【００３１】
（７）  （６）に記載の方法であって、前記抽出ステップは、受け付けた前記ユーザによるページ移動操作の回数の多い参照元のＷｅｂページを、記憶した前記参照先の商品購買に関するＷｅｂページのアドレス（ＵＲＬ）に関連度の高い参照元のＷｅｂページとして抽出することを特徴とする方法。
【００３２】
本発明のこのような構成によれば、前記サーバは、受け付けた前記ユーザによるページ移動操作（クリックログ）の回数に基づいて、記憶した前記参照先の商品購買に関するＷｅｂページのアドレス（ＵＲＬ）に関連度の高い参照元のＷｅｂページを抽出する。
【００３３】
このことにより、前記サーバは前記参照先の商品購買に関するＷｅｂページへのページ移動操作（クリックログ）の回数の多い参照元のＷｅｂページを優先的に端末に表示させることができる。
【００３４】
（８）  （６）又は（７）に記載の方法であって、前記抽出ステップは、前記ユーザによるページ移動操作において用いられた参照先の商品購買に関するＷｅｂページへのリンク情報の、Ｗｅｂページにおける購買商品の表示位置及び占有面積から判定されるランク（順位）の高い参照元のＷｅｂページを、記憶した前記参照先の商品購買に関するＷｅｂページのアドレス（ＵＲＬ）に関連度の高い参照元のＷｅｂページとして抽出することを特徴とする方法。
【００３５】
本発明のこのような構成によれば、前記サーバは、前記ユーザによるページ移動操作において用いられた参照先の商品購買に関するＷｅｂページへのリンク情報の、Ｗｅｂページにおける購買商品の表示位置及び占有面積から判定されるランクに基づいて、記憶した前記参照先の商品購買に関するＷｅｂページのアドレス（ＵＲＬ）に関連度の高い参照元のＷｅｂページを抽出する。
【００３６】
このことにより、前記サーバは、前記Ｗｅｂページにおける購買商品の表示位置及び占有面積から判定されるランクの高い参照元のＷｅｂページを優先的に端末に表示させることができる。
【００３７】
（９）  （８）に記載の方法であって、
前記抽出ステップは、
【数４】
2008176746.tif 000006
ただし、ｎ：ユーザによるページ移動操作の回数
Ｒ：前記ユーザによるページ移動操作において用いられた参照先の商品購買に関するＷｅｂページへのリンク情報の、Ｗｅｂページにおける購買商品の表示位置及び占有面積から判定されるランク（順位）
の大きい参照元のＷｅｂページを、記憶した前記参照先の商品購買に関するＷｅｂページのアドレス（ＵＲＬ）に関連度の高い参照元のＷｅｂページとして抽出することを特徴とする方法。
【００３８】
本発明のこのような構成によれば、前記サーバは
【数５】
2008176746.tif 000007
ただし、ｎ：ユーザによるページ移動操作の回数
Ｒ：前記ユーザによるページ移動操作において用いられた参照先の商品購買に関するＷｅｂページへのリンク情報の、Ｗｅｂページにおける購買商品の表示位置及び占有面積から判定されるランク（順位）
の大きい参照元のＷｅｂページを、記憶した前記参照先の商品購買に関するＷｅｂページのアドレス（ＵＲＬ）に関連度の高い参照元のＷｅｂページとして抽出する。
【００３９】
このことにより、前記サーバは
【数６】
2008176746.tif 000008
ただし、ｎ：ユーザによるページ移動操作の回数
Ｒ：前記ユーザによるページ移動操作において用いられた参照先の商品購買に関するＷｅｂページへのリンク情報の、Ｗｅｂページにおける購買商品の表示位置及び占有面積から判定されるランク（順位）
の大きい参照元のＷｅｂページを、記憶した前記参照先の商品購買に関するＷｅｂページのアドレス（ＵＲＬ）により関連度の高い参照元のＷｅｂページとして前記端末に表示させることができる。
【００４０】
（１０）  通信ネットワークを介してユーザの端末と接続可能であり、Ｗｅｂページへの参照元のＷｅｂページに関する情報を推薦するサーバであって、
前記端末が出力したＷｅｂページが含む参照先のＷｅｂページへのリンク情報を用いた、前記ユーザによるページ移動操作を受け付けたことに応じて、前記参照先のＷｅｂページのアドレス（ＵＲＬ）を、前記リンク情報を含む参照元のＷｅｂページに関する情報に関連付けて記憶する記憶手段を備え、
前記端末が前記ユーザからの新たなＷｅｂページとして、記憶した前記参照元のＷｅｂページの送信要求操作を受け付けたことに応じて、記憶した前記参照先のＷｅｂページのアドレス（ＵＲＬ）に関連度の高い参照元のＷｅｂページに関する情報を抽出する抽出手段と、
抽出した関連度の高い参照元の前記Ｗｅｂページに関する情報を前記端末が出力するために送信する送信手段と、を備えるサーバ。
【００４１】
本発明のこのような構成によれば、前記サーバは（１）と同様の作用を有する。
【００４２】
（１１）  （１０）に記載のサーバであって、前記記憶手段は、前記端末がクエリー（検索キーワード）による検索結果として出力したＷｅｂページが含む参照先のＷｅｂページへのリンク情報を用いた、前記ユーザによるページ移動操作を受け付けたことに応じて、前記参照先のＷｅｂページのアドレス（ＵＲＬ）を、前記検索結果として出力したＷｅｂページのクエリー（検索キーワード）に関連付けて記憶し、
前記抽出手段は、前記端末が前記ユーザからの新たなクエリー（検索キーワード）による検索結果を示すＷｅｂページの送信要求操作を受け付けたことに応じて、記憶した前記参照先のＷｅｂページのアドレス（ＵＲＬ）に関連度の高いクエリー（検索キーワード）を抽出し、
前記送信手段は、抽出した関連度の高いクエリー（検索キーワード）を前記端末が出力するために送信することを特徴とするサーバ。
【００４３】
本発明のこのような構成によれば、前記サーバは（２）と同様の作用を有する。
【００４４】
（１２）  （１０）に記載のサーバであって、前記記憶手段は、前記端末が参照元として出力したＷｅｂページが含む参照先の商品購買に関するＷｅｂページへのリンク情報を用いた、前記ユーザによるページ移動操作を受け付けたことに応じて、前記参照先の商品購買に関するＷｅｂページのアドレス（ＵＲＬ）を、前記参照元として出力したＷｅｂページに関連付けて記憶し、
前記抽出手段は、前記端末が前記ユーザからの新たなＷｅｂページの送信要求操作を受け付けたことに応じて、記憶した前記参照先の商品購買に関するＷｅｂページのアドレス（ＵＲＬ）に関連度の高い参照元のＷｅｂページを抽出し、
前記送信手段は、抽出した関連度の高い参照元のＷｅｂページを前記端末が出力するために送信することを特徴とするサーバ。
【００４５】
本発明のこのような構成によれば、前記サーバは（６）と同様の作用を有する。
【発明の効果】
【００４６】
本発明によれば、前記サーバは、参照先のＷｅｂページへのリンク情報を用いた、前記ユーザによるページ移動操作（クリックログ）を、参照先のＷｅｂページのアドレス（ＵＲＬ）に関連付けて記憶することによって、新たなＷｅｂページとして、記憶した前記参照元のＷｅｂページの送信要求操作を受け付けた場合に、前記参照先のＷｅｂページに関連度の高い参照元のＷｅｂページに関する情報を、端末に表示させることができる。その結果、前記サーバは、前記ユーザが所望のＷｅｂページである可能性のより高いＷｅｂページへ当該ユーザを導く参照元のＷｅｂページに関する情報をより優先的に推薦することができる。
【発明を実施するための最良の形態】
【００４７】
以下、図面を参照しながら本発明の最良の実施形態の一例について述べる。
【００４８】
図１は、本発明の好適な実施形態の一例に係るシステム１の全体構成を示す図である。図２は、本発明の好適な実施形態の一例に係るサーバ１０及び端末２０の構成を示す図である。
図３は、本発明の好適な実施形態の一例に係るサーバ１０及び端末２０による処理を示す機能ブロック図である。図４は、本発明の好適な実施形態の一例に係るサーバ１０及び端末２０によるクエリー／Ｗｅｂページ関連付け処理を示すフローチャートである。図５は、本発明の実施形態に係るクエリー／Ｗｅｂページ関連度テーブル（クリックログ）の一例を示す。図６は、本発明の実施形態に係るサーバ１０による推薦クエリー抽出の一例を示す。図７は、本発明の好適な実施形態の一例に係るサーバ１０及び端末２０によるクエリー推薦（検索キーワード）処理を示すフローチャートである。図８乃至図１０は、本発明の実施形態の一例に係るクリックログと推薦クエリーの関係を示す図である。
図１１は、本発明の好適な別の実施形態の一例に係るサーバ１０及び端末２０による処理を示す機能ブロック図である。図１２は、本発明の好適な実施形態の一例に係るサーバ１０及び端末２０による参照元Ｗｅｂページ／商品購買ページ関連付け処理を示すフローチャートである。図１３は、本発明の実施形態に係る参照元Ｗｅｂページ／商品購買ページ関連度テーブル（クリックログ）の一例を示す。図１４は、本発明の実施形態に係るサーバ１０による推薦ページ抽出の一例を示す。図１５は、本発明の好適な実施形態の一例に係るサーバ１０及び端末２０による参照元Ｗｅｂページ推薦処理を示すフローチャートである。
［システムの全体構成］
【００４９】
図１は、本発明の好適な実施形態の一例に係るシステム１の全体構成を示す図である。
【００５０】
サーバ１０は、通信ネットワーク３０を介して、ユーザの端末２０と接続可能である。
【００５１】
また、ユーザの端末２０とサーバ１０とを結ぶ通信ネットワーク３０は、有線により実現するものだけではなく、携帯電話等のように、基地局を介して一部を無線により実現するもの、アクセスポイントを介して無線ＬＡＮにより実現するもの等、本発明の技術的思想に合致するものであれば様々な通信ネットワークにより実現してよい。
【００５２】
［サーバ１０のハードウェア構成］
【００５３】
図２は、図１で説明した本発明の好適な実施形態の一例に係るサーバ１０のハードウェア構成の一例を示す図である。サーバ１０は、制御部１０１を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、並びにキーボード及びマウス１１００等の入力手段や表示装置１０２２を備える。
【００５４】
Ｉ／Ｏコントローラ１０７０には、テープドライブ１０７２、ハードディスク１０７４、光ディスクドライブ１０７６、半導体メモリ１０７８、等の記憶手段を接続することができる。
【００５５】
ＢＩＯＳ１０６０は、サーバ１０の起動時にＣＰＵ１０１０が実行するブートプログラムや、サーバ１０のハードウェアに依存するプログラム等を格納する。
【００５６】
記憶部１０７を構成するハードディスク１０７４は、サーバ１０がサーバとして機能するための各種プログラム及び本発明の機能を実行するプログラムを記憶しており、更に必要に応じて各種データベースを構成可能である。
【００５７】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。また、同様にテープドライブ１０７２に対応したテープメディア１０７１を主としてバックアップのために使用することもできる。
【００５８】
サーバ１０に提供されるプログラムは、ハードディスク１０７４、光ディスク１０７７、又はメモリーカード等の記録媒体に格納されて提供される。このプログラムは、Ｉ／Ｏコントローラ１０７０を介して、記録媒体から読み出され、又は通信Ｉ／Ｆ１０４０を介してダウンロードされることによって、サーバ１０にインストールされ実行されてもよい。
【００５９】
前述のプログラムは、内部又は外部の記憶媒体に格納されてもよい。ここで、記憶部１０７を構成する記憶媒体としては、ハードディスク１０７４、光ディスク１０７７、又はメモリーカードの他に、ＭＤ等の光磁気記録媒体、テープ媒体を用いることができる。また、専用通信回線やインターネットに接続されたサーバシステムに設けたハードディスク１０７４又は光ディスクライブラリー等の記憶装置を記録媒体として使用し、通信回線を介してプログラムをサーバ１０に提供してもよい。
【００６０】
ここで、表示装置１０２２は、ユーザにデータの入力を受け付ける画面を表示したり、サーバ１０による演算処理結果の画面を表示したりするものであり、ブラウン管表示装置（ＣＲＴ）、液晶表示装置（ＬＣＤ）等のディスプレイ装置を含む。
【００６１】
ここで、入力手段は、ユーザによる入力の受け付けを行うものであり、キーボード及びマウス１１００等により構成してよい。
【００６２】
また、通信Ｉ／Ｆ１０４０は、サーバ１０を専用ネットワーク又は公共ネットワークを介して端末と接続できるようにするためのネットワーク・アダプタである。通信Ｉ／Ｆ１０４０は、モデム、ケーブル・モデム及びイーサネット（登録商標）・アダプタを含んでよい。
【００６３】
以上の例は、サーバ１０について主に説明したが、コンピュータに、プログラムをインストールして、そのコンピュータをサーバ装置として動作させることにより上記で説明した機能を実現することもできる。したがって、本発明において一実施形態として説明したサーバにより実現される機能は、上述の方法を当該コンピュータにより実行することにより、或いは、上述のプログラムを当該コンピュータに導入して実行することによっても実現可能である。
［ユーザの端末２０のハードウェア構成］
【００６４】
ここでユーザの端末２０は、上述のサーバ１０と同様の構成を備えてよい。なお、ユーザの端末２０は携帯電話やＰＤＡ（Ｐｅｒｓｏｎａｌ  Ｄａｔａ  Ａｓｓｉｓｔａｎｔ）等、いわゆる汎用コンピュータ（ＰＣ）以外の通信端末として実現してもよい。
［実施例１］
［システムの機能構成］
【００６５】
図３は、本発明の好適な実施形態の一例に係るサーバ１０及び端末２０による処理を示す機能ブロック図である。
【００６６】
ユーザの端末２０のキーボード及びマウス２１００は、クエリーデータ入力受付手段及びＷｅｂページ検索結果選択操作受付手段を構成する。ユーザの端末２０の表示装置２０２２は、Ｗｅｂページ検索結果表示手段、選択Ｗｅｂページ表示手段、及び推薦クエリー表示手段を構成する。ユーザの端末２０の通信Ｉ／Ｆ２０４０は、クエリーデータ送信手段、Ｗｅｂページ検索結果受信手段、選択Ｗｅｂページ送信要求データ送信手段、選択Ｗｅｂページ受信手段及び推薦クエリー受信手段を構成する。
【００６７】
サーバ１０の通信Ｉ／Ｆ１０４０は、クエリーデータ受信手段、Ｗｅｂページ検索結果送信手段、選択Ｗｅｂページ送信要求データ受信手段、選択Ｗｅｂページ送信手段及び推薦クエリー送信手段を構成する。サーバ１０の制御部１０１は、Ｗｅｂページ検索手段、クエリー／Ｗｅｂページ関連付け手段、Ｗｅｂページ抽出手段、及び推薦クエリー抽出手段を構成する。サーバ１０の記憶部１０７は、Ｗｅｂページデータ、及びクエリー／Ｗｅｂページ関連度テーブルを格納する。
［クエリー／Ｗｅｂページ関連付け処理］
【００６８】
図４は、本発明の好適な実施形態の一例に係るサーバ１０及び端末２０によるクエリー／Ｗｅｂページ関連付け処理を示すフローチャートである。
【００６９】
まず、ユーザの端末２０の制御部２０１は、クエリーデータ入力受付手段（キーボード及びマウス２１００）により、ユーザからのＷｅｂページの送信要求操作として、クエリーデータの入力を受け付ける（ステップＳ１０１）。具体的には、例えば、ユーザの端末２０に組み込まれたＷｅｂブラウザソフトウェアが動作することにより、ユーザからのクエリーデータ（検索キーワード）の入力操作やボタン操作等を受け付ける。
【００７０】
次に、ユーザの端末２０の制御部２０１は、クエリーデータ送信手段（通信Ｉ／Ｆ２０４０）により、当該受け付けたクエリーデータ（検索キーワード）を、通信ネットワーク３０を介してサーバ１０に送信する（ステップＳ１０２）。具体的には、例えば、ユーザの端末２０に組み込まれたＷｅｂブラウザソフトウェアが動作することにより、ｈｔｔｐのＧｅｔコマンドを送信することにより、当該クエリーデータ（検索キーワード）を伴った検索リクエストをサーバ１０に送信する。
【００７１】
次に、サーバ１０の制御部１０１は、クエリーデータ受信手段（通信Ｉ／Ｆ１０４０）により、当該クエリーデータ（検索キーワード）を伴った検索リクエストを受信する（ステップＳ１０３）。
【００７２】
次に、サーバ１０の制御部１０１は、Ｗｅｂページ検索手段により、当該クエリーデータ（検索キーワード）を伴った検索リクエストに応じてＷｅｂページデータの検索を行い、当該Ｗｅｂページ検索結果を、Ｗｅｂページ検索結果送信手段（通信Ｉ／Ｆ１０４０）により、ユーザの端末２０に通信ネットワーク３０を介して送信する（ステップＳ１０４）。
【００７３】
次に、ユーザの端末２０の制御部２０１は、Ｗｅｂページ検索結果受信手段（通信Ｉ／Ｆ２０４０）により、Ｗｅｂページ検索結果を受信し、Ｗｅｂページ検索結果を、Ｗｅｂページ検索結果表示手段（表示装置２０２２）により、表示する（ステップＳ１０５）。
【００７４】
次に、ユーザの端末２０の制御部２０１は、Ｗｅｂページ検索結果選択操作受付手段（キーボード及びマウス２１００）により、Ｗｅｂページ検索結果に対する、ユーザからのＷｅｂページ選択操作（ＵＲＬのクリック操作やボタン操作等）を受け付ける（ステップＳ１０６）。
【００７５】
次に、ユーザの端末２０の制御部２０１は、選択Ｗｅｂページ送信要求データ送信手段（通信Ｉ／Ｆ２０４０）により、当該受け付けた選択Ｗｅｂページ送信要求データを、通信ネットワーク３０を介してサーバ１０に送信する（ステップＳ１０７）。
【００７６】
次に、サーバ１０の制御部１０１は、選択Ｗｅｂページ送信要求データ受信手段（通信Ｉ／Ｆ１０４０）により、当該受け付けた選択Ｗｅｂページ送信要求データを受信する（ステップＳ１０８）。
【００７７】
次に、サーバ１０の制御部１０１は、Ｗｅｂページ抽出手段により、当該受け付けた選択Ｗｅｂページ送信要求データに対する選択Ｗｅｂページを記憶部１０７から抽出する（ステップＳ１０９）。
【００７８】
次に、サーバ１０の制御部１０１は、選択Ｗｅｂページ送信手段（通信Ｉ／Ｆ１０４０）により、選択Ｗｅｂページ送信要求データに対して抽出された選択Ｗｅｂページを、ユーザの端末２０に通信ネットワーク３０を介して送信する（ステップＳ１１０）。
【００７９】
次に、ユーザの端末２０の制御部２０１は、選択Ｗｅｂページ受信手段（通信Ｉ／Ｆ２０４０）により選択Ｗｅｂページを受信し、選択Ｗｅｂページを選択Ｗｅｂページ表示手段（表示装置２０２２）により、表示する（ステップＳ１１１）。
【００８０】
ここで、サーバ１０の制御部１０１は、上述のステップＳ１０９乃至ステップＳ１１１を行うと共に、クエリー／Ｗｅｂページ関連付け手段により、クエリーデータ（検索キーワード）に、選択Ｗｅｂページのアドレス（ＵＲＬ）、ランク（Ｗｅｂページ検索結果における表示順位）、及びＩＰアドレス等を関連付け、クエリー／Ｗｅｂページ関連度テーブル（クリックログ）としてサーバ１０の記憶部１０７に格納する（ステップＳ１１２）。
【００８１】
具体的なクエリー／Ｗｅｂページ関連度テーブル（クリックログ）の一例として、図５を参照しながら説明する。
【００８２】
図５の例においては、クエリーデータ（検索キーワード）「住宅評価センター」が、ＵＲＬ（ｗｗｗ：／／ｘｘｘ．ｙｙｙ．ｚｚｚ）と関連付けて一つのレコードとして記憶されており、同一ＵＲＬを持つ別のレコードとしてクエリーデータ（検索キーワード）「住宅性能評価」が記憶されている。なおＷｅｂページ検索結果におけるランク（Ｗｅｂページ検索結果における表示順位）は、「住宅評価センター」は３、「住宅性能評価」は２である。
【００８３】
サーバ１０の制御部１０１は、このようなクエリー／Ｗｅｂページ関連度テーブル（クリックログ）を一定期間蓄積する。
【００８４】
ここで、サーバ１０の制御部１０１は、クエリー／Ｗｅｂページ関連度テーブル（クリックログ）のレコードを同一ＵＲＬのレコード毎に集計する。その結果、同一ＵＲＬに対する同一クエリーデータ（検索キーワード）のレコード数が頻度として計算できる。
【００８５】
次に、サーバ１０の制御部１０１は、クリックログの頻度とランク（Ｗｅｂページ検索結果における表示順位）から、値（ｘ）を計算する。
【数７】
2008176746.tif 000009
ｎ：頻度
Ｒ：ランク（Ｗｅｂページ検索結果における表示順位）
【００８６】
次に、サーバ１０の制御部１０１は、値（ｘ）の大きい順にクエリーデータ（検索キーワード）をソートすることにより推薦クエリー対応表として整理できる（図６参照）。推薦クエリー対応表の最上位のクエリーデータ（検索キーワード）を、推薦クエリーとする。最上位未満のクエリーデータ（検索キーワード）は推薦トリガーとなる。
【００８７】
具体的な推薦クエリー抽出の一例として、図６を参照しながら説明する。
【００８８】
図６の例においては、同一ＵＲＬ（ｗｗｗ：／／ｘｘｘ．ｙｙｙ．ｚｚｚ）に関連付けられたクエリーデータ（検索キーワード）である「住宅性能評価」、「住宅評価センター」、「住宅の安心」、及び「住宅って安全？」が記憶されている。ｌｏｇ（頻度）／ランク（表示順位）を比較した結果、「住宅性能評価」が最上位であるので、「住宅評価センター」、「住宅の安心」、及び「住宅って安全？」のクエリーデータ（検索キーワード）に対して「住宅性能評価」が推薦クエリーとなる。これに対し、「住宅評価センター」、「住宅の安心」、及び「住宅って安全？」はそれぞれ推薦トリガーとなる。
このように同一のＵＲＬに対して一つの推薦クエリー対応表が生成されることになり、クリックログに含まれるＵＲＬの数分、当該推薦クエリー対応表が生成される。
【００８９】
なお、頻度が一定以下のものは推薦クエリー対応表から削除してもよい。
［クエリー（検索キーワード）推薦処理］
【００９０】
図７は、本発明の好適な実施形態の一例に係るサーバ１０及び端末２０によるクエリー推薦（検索キーワード）処理を示すフローチャートである。
【００９１】
まず、ユーザの端末２０の制御部２０１は、クエリーデータ入力受付手段（キーボード及びマウス２１００）により、ユーザからのＷｅｂページの送信要求操作として、クエリーデータの入力を受け付ける（ステップＳ２０１）。具体的には、例えば、ユーザの端末２０に組み込まれたＷｅｂブラウザソフトウェアが動作することにより、ユーザからのクエリーデータ（検索キーワード）の入力操作やボタン操作等を受け付ける。
【００９２】
次に、ユーザの端末２０の制御部２０１は、クエリーデータ送信手段（通信Ｉ／Ｆ２０４０）により、当該受け付けたクエリーデータ（検索キーワード）を、通信ネットワーク３０を介してサーバ１０に送信する（ステップＳ２０２）。具体的には、例えば、ユーザの端末２０に組み込まれたＷｅｂブラウザソフトウェアが動作することにより、ｈｔｔｐのＧｅｔコマンドを送信することにより、当該クエリーデータ（検索キーワード）を伴った検索リクエストをサーバ１０に送信する。
【００９３】
次に、サーバ１０の制御部１０１は、クエリーデータ受信手段（通信Ｉ／Ｆ１０４０）により、当該クエリーデータ（検索キーワード）を伴った検索リクエストを受信する（ステップＳ２０３）。
【００９４】
次に、サーバ１０の制御部１０１は、推薦クエリー抽出手段により、上述の推薦クエリー対応表から当該クエリーデータ（検索キーワード）を検索する。当該クエリーデータ（検索キーワード）が推薦トリガーとなる場合は、推薦クエリーを抽出する（ステップＳ２０４）。
【００９５】
具体的な推薦クエリー抽出の一例として、図６を参照しながら説明する。
【００９６】
図６の例においては、クエリーデータ（検索キーワード）の入力が「住宅評価センター」であるときは、「住宅評価センター」は推薦トリガーであり、「住宅性能評価」が推薦クエリーとなる。
【００９７】
ここで、当該クエリーデータ（検索キーワード）が推薦クエリー対応表において複数のＷｅｂページ（即ちＵＲＬ）に対応する場合には、これらを統合し、最上位の推薦クエリーを抽出してもよい。この場合、クエリーデータ（検索キーワード）に対応する、それぞれのＵＲＬの中でｌｏｇ（頻度）／ランク（表示順位）の値が、最大値であるクエリーデータ（検索キーワード）を推薦クエリーとする。又はクエリーデータ（検索キーワード）毎にまとめ、ｌｏｇ（頻度）／ランク（表示順位）の値の和が最大値であるクエリーデータ（検索キーワード）を推薦クエリーとしてもよい。また、別の方法として、複数のＷｅｂページ（即ちＵＲＬ）毎の推薦クエリーを抽出してもよい。
【００９８】
上述の考え方を説明するために、具体例として図８を参照しながら説明する。
【００９９】
図８の例においては、クエリーデータ（検索キーワード）ａに対する検索の結果、ＵＲＬ：Ａ、ＵＲＬ：Ｂ、及びＵＲＬ：Ｃが検索されたとする。それぞれのＵＲＬでクエリーデータ（検索キーワード）ａは第一位ではないので、推薦トリガーとなり、それぞれのＵＲＬ毎に第一位のクエリー：ｄ、クエリー：ｆ、及びクエリー：ｃが推薦クエリーとなる。
【０１００】
複数の推薦クエリー対応表を統合して決定する推薦クエリーの一例として、具体的に図９を参照しながら説明する。
【０１０１】
図９の例においては、クリックログから、クエリーデータ（検索キーワード）に対応するＵＲＬ毎の、ｌｏｇ（頻度）／ランク（表示順位）の値が、最大値である、又は和の最大値であるクエリーデータ（検索キーワード）を推薦クエリーとするので、クエリー：ｆが推薦クエリーとなる。
【０１０２】
複数のＷｅｂページ（即ちＵＲＬ）毎に推薦クエリーを決定する例として、具体的に図１０を参照しながら説明する。
【０１０３】
図１０の例においては、クリックログから、それぞれのＵＲＬ毎の推薦クエリーを抽出する。それぞれ第一位であるクエリー：ｄ、及びクエリー：ｆが抽出されるので、それぞれを推薦クエリーとする。
【０１０４】
次に、サーバ１０の制御部１０１は、推薦クエリー送信手段（通信Ｉ／Ｆ１０４０）により、当該推薦クエリーを、ユーザの端末２０に通信ネットワーク３０を介して送信する（ステップＳ２０５）。ユーザの端末２０は推薦クエリー受信手段（通信Ｉ／Ｆ２０４０）により、推薦クエリーを受信し（ステップＳ２０６）、推薦クエリーを推薦クエリー表示手段（表示装置２０２２）により、表示する（ステップＳ２０７）。
［実施例２］
［システムの機能構成］
【０１０５】
図１１は、本発明の好適な別の実施形態の一例に係るサーバ１０及び端末２０による処理を示す機能ブロック図である。
【０１０６】
ユーザの端末２０のキーボード及びマウス２１００は、商品購買ページ移動操作受付手段、及びＷｅｂページ移動操作受付手段を構成する。ユーザの端末２０の表示装置２０２２は、Ｗｅｂページ（商品購買ページ）表示手段、及び参照元Ｗｅｂページ表示手段を構成する。ユーザの端末２０の通信Ｉ／Ｆ２０４０は、商品購買ページ送信要求データ送信手段、Ｗｅｂページ（商品購買ページ）受信手段、参照元Ｗｅｂページ受信手段、及びＷｅｂページ移動操作データ送信手段を構成する。
【０１０７】
サーバ１０の通信Ｉ／Ｆ１０４０は、商品購買ページ送信要求データ受信手段、Ｗｅｂページ（商品購買ページ）送信手段、参照元Ｗｅｂページ送信手段、及びＷｅｂページ移動操作データ受信手段を構成する。サーバ１０の制御部１０１は、Ｗｅｂページ（商品購買ページ）抽出手段、参照元Ｗｅｂページ／商品購買ページ関連付け手段、及び参照元Ｗｅｂページ抽出手段を構成する。サーバ１０の記憶部１０７は、Ｗｅｂページデータ及び参照元Ｗｅｂページ／商品購買ページ関連度テーブルを格納する。
［参照元Ｗｅｂページ／商品購買ページ関連付け処理］
【０１０８】
図１２は、本発明の好適な実施形態の一例に係るサーバ１０及び端末２０による参照元Ｗｅｂページ／商品購買ページ関連付け処理を示すフローチャートである。
【０１０９】
まず、ユーザの端末２０の制御部２０１は、商品購買ページ移動操作受付手段（キーボード及びマウス２１００）により、ユーザからのＷｅｂページ（商品購買ページ）への移動操作を受け付ける（ステップＳ３０１）。具体的には、例えば、ユーザの端末２０に組み込まれたＷｅｂブラウザソフトウェアが動作することにより、ユーザからのＵＲＬのクリック操作やボタン操作等を受け付ける。
【０１１０】
次に、ユーザの端末２０の制御部２０１は、商品購買ページ送信要求データ送信手段（通信Ｉ／Ｆ２０４０）により、当該受け付けたＷｅｂページ（商品購買ページ）の送信要求データを、通信ネットワーク３０を介してサーバ１０に送信する（ステップＳ３０２）。具体的には、例えば、ユーザの端末２０に組み込まれたＷｅｂブラウザソフトウェアが動作することにより、ｈｔｔｐのＧｅｔコマンドを送信することにより、当該Ｗｅｂページ（商品購買ページ）の送信要求データをサーバ１０に送信する。
【０１１１】
次に、サーバ１０の制御部１０１は、商品購買ページ送信要求データ受信手段（通信Ｉ／Ｆ１０４０）により、当該Ｗｅｂページ（商品購買ページ）の送信要求データを受信する（ステップＳ３０３）。
【０１１２】
次に、サーバ１０の制御部１０１は、Ｗｅｂページ（商品購買ページ）抽出手段により、当該Ｗｅｂページ（商品購買ページ）の送信要求データに応じてＷｅｂページ（商品購買ページ）を抽出する（ステップＳ３０５）。
【０１１３】
次に、サーバ１０の制御部１０１は、Ｗｅｂページ（商品購買ページ）送信手段（通信Ｉ／Ｆ１０４０）により、当該Ｗｅｂページ（商品購買ページ）の送信要求データに応じて抽出されたＷｅｂページ（商品購買ページ）を、ユーザの端末２０に通信ネットワーク３０を介して送信する（ステップＳ３０６）。
【０１１４】
次に、ユーザの端末２０の制御部２０１は、Ｗｅｂページ（商品購買ページ）受信手段（通信Ｉ／Ｆ２０４０）により、Ｗｅｂページ（商品購買ページ）を受信し、Ｗｅｂページ（商品購買ページ）をＷｅｂページ（商品購買ページ）表示手段（表示装置２０２２）により、表示する（ステップＳ３０７）。
【０１１５】
ここで、サーバ１０の制御部１０１は、上述のステップＳ３０５乃至ステップＳ３０７を行うと共に、参照元Ｗｅｂページ／商品購買ページ関連付け手段により、当該Ｗｅｂページ（商品購買ページ）において購入可能な商品のＩＤ（購買商品ＩＤ）、参照元Ｗｅｂページ、ランク（表示順位）、及びＩＰアドレス等を関連付けて、参照元Ｗｅｂページ／商品購買ページ関連度テーブル（クリックログ）としてサーバ１０の記憶部１０７に格納する（ステップＳ３０４）。
【０１１６】
なお、ランク（表示順位）はＷｅｂページ（商品購買ページ）における購買商品の表示位置及び占有面積から判定される。
【０１１７】
具体的な参照元Ｗｅｂページ／商品購買ページ関連度テーブル（クリックログ）の一例として、図１３を参照しながら説明する。
【０１１８】
図１３の例においては、購買商品ＩＤ「○○  Ｄｉｇｉｔａｌカメラ」が、参照元Ｗｅｂページ「カメラページ」、及び「電気製品ページ」と関連付けて記憶されている。それぞれの参照元Ｗｅｂページにおけるランク（表示順位）は、「カメラページ」は５、「電気製品ページ」は９である。
【０１１９】
サーバ１０の制御部１０１は、このような参照元Ｗｅｂページ／商品購買ページ関連度テーブル（クリックログ）を一定期間蓄積する。
【０１２０】
ここで、サーバ１０の制御部１０１は、参照元Ｗｅｂページ／商品購買ページ関連度テーブル（クリックログ）のレコードを同一の購買商品ＩＤ毎に集計する。その結果、同一の購買商品ＩＤに対する同一参照元Ｗｅｂページレコードの数が頻度として計算できる。
【０１２１】
次に、サーバ１０の制御部１０１は、クリックログの頻度とランク（表示順位）から、値（ｘ）を生成する。
【数８】
2008176746.tif 000010
ｎ：頻度
Ｒ：ランク（Ｗｅｂページ検索結果における表示順位）
【０１２２】
次に、サーバ１０の制御部１０１は、値（ｘ）の大きい順に参照元Ｗｅｂページをソートすることにより推薦ページ対応表として整理できる（図１４参照）。最上位の参照元Ｗｅｂページを、推薦ページとする。最上位以外の参照元Ｗｅｂページは推薦トリガーとなる。
【０１２３】
具体的な推薦ページ抽出の一例として、図１４を参照しながら説明する。
【０１２４】
図１４の例においては、同一購買商品ＩＤ「○○  Ｄｉｇｉｔａｌカメラ」に関連付けられた参照元Ｗｅｂページである「Ｃ社製品ページ」、「カメラページ」、「電気製品ページ」、及び「安売り特集ページ」が記憶されている。ｌｏｇ（頻度）／ランク（表示順位）を比較した結果、「Ｃ社製品ページ」が最上位であるので、購買商品ＩＤ「○○  Ｄｉｇｉｔａｌカメラ」に対して「Ｃ社製品ページ」が推薦ページとなる。これに対して、「カメラページ」、「電気製品ページ」、及び「安売り特集ページ」はそれぞれ推薦トリガーとなる。
このように同一の購買商品ＩＤに対して一つの推薦ページ対応表が生成されることになり、クリックログに含まれる購買商品ＩＤの数分、当該推薦ページ対応表が生成される。
【０１２５】
なお、頻度が一定以下のものは推薦ページ対応表から削除してもよい。
［参照元Ｗｅｂページ推薦処理］
【０１２６】
図１５は、本発明の好適な実施形態の一例に係るサーバ１０及び端末２０による参照元Ｗｅｂページ推薦処理を示すフローチャートである。
【０１２７】
まず、ユーザの端末２０の制御部２０１は、Ｗｅｂページ移動操作受付手段（キーボード及びマウス２１００）により、ユーザからのＷｅｂページ（商品購買ページ）への移動操作を受け付ける（ステップＳ４０１）。具体的には、例えば、ユーザの端末２０に組み込まれたＷｅｂブラウザソフトウェアが動作することにより、ユーザからのＵＲＬのクリック操作やボタン操作等を受け付ける。
【０１２８】
次に、ユーザの端末２０の制御部２０１は、Ｗｅｂページ移動操作データ送信手段（通信Ｉ／Ｆ２０４０）により、当該受け付けたＷｅｂページ移動操作データを、通信ネットワーク３０を介してサーバ１０に送信する（ステップＳ４０２）。具体的には、例えば、ユーザの端末２０に組み込まれたＷｅｂブラウザソフトウェアが動作することにより、ｈｔｔｐのＧｅｔコマンドを送信することにより、当該Ｗｅｂページ移動操作データをサーバ１０に送信する。
【０１２９】
次に、サーバ１０の制御部１０１は、Ｗｅｂページ移動操作データ受信手段（通信Ｉ／Ｆ１０４０）により、当該Ｗｅｂページ移動操作データを受信する（ステップＳ４０３）。
【０１３０】
次に、サーバ１０の制御部１０１は、参照元Ｗｅｂページ抽出手段により、受信したＷｅｂページ移動操作データをキーとして、上述の推薦ページ対応表から購買商品ＩＤを検索し、推薦ページを抽出する（ステップＳ４０４）。
【０１３１】
具体的な推薦ページ抽出の一例として、図１４を参照しながら説明する。
【０１３２】
図１４の例においては、「カメラページ」がユーザからのＷｅｂページ（商品購買ページ）への移動要求のときは、「Ｃ社製品ページ」が推薦ページとなる。
【０１３３】
ここで、Ｗｅｂページ（商品購買ページ）が複数の推薦ページ対応表（即ち購買商品ＩＤ）にヒットする場合には、より推薦トリガーの順位の高い推薦ページ対応表の推薦ページを抽出してもよい。この推薦ページの抽出法は、クエリー（検索キーワード）に関する実施例、と同様の考え方が適用可能である。
【０１３４】
次に、サーバ１０の制御部１０１は、参照元Ｗｅｂページ送信手段（通信Ｉ／Ｆ１０４０）により、当該推薦ページを、ユーザの端末２０に通信ネットワーク３０を介して送信する（ステップＳ４０５）。ユーザの端末２０は参照元Ｗｅｂページ受信手段（通信Ｉ／Ｆ２０４０）により、推薦ページを受信し（ステップＳ４０６）、推薦ページを参照元Ｗｅｂページ表示手段により、ユーザの端末２０の表示装置２０２２に表示する（ステップＳ４０７）。
【０１３５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１３６】
【図１】本発明の好適な実施形態の一例に係るシステム１の全体構成を示す図である。
【図２】本発明の好適な実施形態の一例に係るサーバ１０及び端末２０の構成を示す図である。
【図３】本発明の好適な実施形態の一例に係るサーバ１０及び端末２０による処理を示す機能ブロック図である。
【図４】本発明の好適な実施形態の一例に係るサーバ１０及び端末２０によるクエリー／Ｗｅｂページ関連付け処理を示すフローチャートである。
【図５】本発明の実施形態に係るクエリー／Ｗｅｂページ関連度テーブル（クリックログ）の一例を示す。
【図６】本発明の実施形態に係るサーバ１０による推薦クエリー抽出の一例を示す。
【図７】本発明の好適な実施形態の一例に係るサーバ１０及び端末２０によるクエリー推薦（検索キーワード）処理を示すフローチャートである。
【図８】本発明の実施形態の一例に係るクリックログと推薦クエリーの関係を示す図である。
【図９】本発明の実施形態の一例に係るクリックログと推薦クエリーの関係を示す図である。
【図１０】本発明の実施形態の一例に係るクリックログと推薦クエリーの関係を示す図である。
【図１１】本発明の好適な別の実施形態の一例に係るサーバ１０及び端末２０による処理を示す機能ブロック図である。
【図１２】本発明の好適な実施形態の一例に係るサーバ１０及び端末２０による参照元Ｗｅｂページ／商品購買ページ関連付け処理を示すフローチャートである。
【図１３】本発明の実施形態に係る参照元Ｗｅｂページ／商品購買ページ関連度テーブル（クリックログ）の一例を示す。
【図１４】本発明の実施形態に係るサーバ１０による推薦ページ抽出の一例を示す。
【図１５】本発明の好適な実施形態の一例に係るサーバ１０及び端末２０による参照元Ｗｅｂページ推薦処理を示すフローチャートである。
【符号の説明】
【０１３７】
１  システム
１０  サーバ
２０  端末
３０  通信ネットワーク
【図１】
2008176746.tif 000013
【図２】
2008176746.tif 000014
【図３】
2008176746.tif 000015
【図４】
2008176746.tif 000016
【図５】
2008176746.tif 000017
【図６】
2008176746.tif 000018
【図７】
2008176746.tif 000019
【図８】
2008176746.tif 000020
【図９】
2008176746.tif 000021
【図１０】
2008176746.tif 000022
【図１１】
2008176746.tif 000023
【図１２】
2008176746.tif 000024
【図１３】
2008176746.tif 000025
【図１４】
2008176746.tif 000026
【図１５】
2008176746.tif 000027